(57)【特許請求の範囲】
【請求項１】
固体発光素子を有する光源を点灯する点灯装置であって、前記光源よりも高電位側に設けられるスイッチング素子を有し、前記スイッチング素子がオンオフ駆動されることで直流の入力電圧を前記光源に必要とされる直流電圧に変換するスイッチング電源回路と、前記スイッチング素子をオンオフ駆動する駆動回路と、前記駆動回路を通じて前記スイッチング電源回路の動作を制御する制御回路と、前記駆動回路が前記スイッチング素子をオンオフ駆動するために必要な駆動電圧を生成するブートストラップ回路と、前記ブートストラップ回路に電源を供給する第１制御電源回路と、前記ブートストラップ回路が正常に動作し得ないときにのみ、前記駆動電圧を生成する第２制御電源回路とを備えることを特徴とする点灯装置。
【請求項２】
前記ブートストラップ回路は、ブートストラップダイオードと、ブートストラップコンデンサと、限流素子とを有し、前記第１制御電源回路で生成される前記電源により、前記ブートストラップダイオードを介して前記ブートストラップコンデンサを充電し、且つ前記ブートストラップコンデンサの充電電圧で前記駆動電圧を生成するように構成され、
前記第２制御電源回路は、前記直流の入力電圧を定電圧化する定電圧素子と、前記定電圧素子と前記ブートストラップコンデンサを電気的に接続する整流素子とを有し、前記定電圧素子で定電圧化された電圧で前記ブートストラップコンデンサを充電するように構成されることを特徴とする請求項１記載の点灯装置。
【請求項３】
前記スイッチング電源回路は、前記直流の入力電圧を降圧するバックコンバータとして構成され、前記第１制御電源回路は、前記制御回路の動作用電源を生成し、且つ当該動作用電源を前記ブートストラップ回路に供給するように構成されることを特徴とする請求項１又は２記載の点灯装置。
【請求項４】
前記第２制御電源回路は、前記ブートストラップコンデンサの充電時に、前記ブートストラップ回路の前記限流素子の両端電圧が前記光源の点灯開始電圧を超えないように構成されることを特徴とする請求項２記載の点灯装置。
【請求項５】
外部電源から供給される交流電圧から前記直流の入力電圧を生成する直流電源回路を備え、前記直流電源回路は、非絶縁型のスイッチング電源で構成され、前記第２制御電源回路は、前記外部電源から前記交流電圧が供給された状態で前記直流電源回路が停止している場合において、前記ブートストラップコンデンサの充電時に、前記ブートストラップ回路の前記限流素子の両端電圧が前記光源の点灯開始電圧を超えないように構成されることを特徴とする請求項４記載の点灯装置。
【請求項６】
前記第２制御電源回路の動作を制御する第２制御回路を備え、前記第２制御回路は、前記外部電源の電源供給が開始された場合において、前記スイッチング電源回路の出力端間の電圧が所定のしきい値未満のときは前記第２制御電源回路に前記駆動電圧を生成させず、前記出力端間の電圧が前記しきい値以上のときに前記第２制御電源回路に前記駆動電圧を生成させるように構成されることを特徴とする請求項５記載の点灯装置。
【請求項７】
請求項１〜６の何れかの点灯装置と、前記点灯装置によって点灯される前記光源とを有することを特徴とする照明器具。
【請求項８】
前記光源は、前記固体発光素子として発光ダイオード又は有機エレクトロルミネセンス素子を有することを特徴とする請求項７記載の照明器具。
【発明の詳細な説明】
【技術分野】
【０００１】
本発明は、点灯装置及び照明器具に関し、特に、発光ダイオードなどの固体発光素子を点灯する点灯装置、及び当該点灯装置を備える照明器具に関する。
【背景技術】
【０００２】
従来例として、特許文献１記載の点灯装置及び照明器具を例示する。特許文献１記載の点灯装置は、降圧チョッパ部（バックコンバータ）と、駆動部と、制御部と、制御電源部と、タイマー部と、第２のインピーダンス素子と、制御用コンデンサと、ダイオードとを備える。
【０００３】
直流電源部は、例えば、全波整流器と昇圧チョッパ回路（力率改善回路）で構成され、商用交流電源の電源電圧よりも高い直流電圧を出力するように構成される。
【０００４】
制御部は、降圧チョッパ部のスイッチング素子をオンオフ制御するための制御信号を生成する。
【０００５】
駆動部は、制御部によって生成された制御信号の入力により、スイッチング素子へ駆動信号を出力する。
【０００６】
制御電源部は、直流電源部の出力端に発生した電圧に応じて、少なくとも駆動部に制御電源（例えば、１５ボルトの直流電源）を供給する。
【０００７】
タイマー部は、駆動部に制御電源が供給された後、所定時間後にスイッチング素子をオンオフ制御するための信号を制御部に出力する。
【０００８】
第２のインピーダンス素子は、スイッチング素子がオンオフ動作をしていないとき、制御電源部から制御用コンデンサを直流充電可能な経路に抵抗成分を有した第２のインピーダンスをもつ。第２のインピーダンス素子は、スイッチング素子と、降圧チョッパ回路のインダクタ（チョークコイル）との接続点とグランドとの間に電気的に接続される。
【０００９】
スイッチング素子のソース電位に相当する前記接続点は、中点電位に相当し、スイッチング素子自体が中点電位より高電圧側に設けられている。したがって、スイッチング素子のオンオフ動作には相応の高いゲート電圧が必要とされ、制御用コンデンサによるバイアスが必要となる。
【００１０】
一方、スイッチング素子の非オンオフ動作時、すなわち、本点灯装置の起動時には、前記接続点の電位をできるだけ、特にグランドレベルまで下げることが望ましい。前記接続点の電位がグランドレベルまで下がることにより、制御電源部から制御用コンデンサに電流が流れて、制御用コンデンサが充電される。
【００１１】
そこで、この従来例においては、第２のインピーダンス素子を、制御電源部から見て制御用コンデンサの低電位側に配置し、スイッチング素子の非オンオフ動作時に、制御用コンデンサを直流充電可能な構成としている。
【先行技術文献】
【特許文献】
【００１２】
【特許文献１】特開２０１３−１２７９３９号公報
【発明の概要】
【発明が解決しようとする課題】
【００１３】
しかしながら、特許文献１記載の従来例は、例えば、瞬時停電が発生した後の再起動時において、降圧チョッパ部の出力コンデンサ（平滑コンデンサ）に充電電荷が残っている状態では、前記接続点の電位が高い状態に維持されてしまう。その結果、制御電源部から制御用コンデンサに充電電流が流れず、駆動部は、降圧チョッパ部のスイッチング素子をオンすることができない。
【００１４】
本発明は、上記課題に鑑みてなされたものであり、再起動時における動作の安定性の向上を図ることを目的とする。
【課題を解決するための手段】
【００１５】
本発明の点灯装置は、固体発光素子を有する光源を点灯する点灯装置であって、前記光源よりも高電位側に設けられるスイッチング素子を有し、前記スイッチング素子がオンオフ駆動されることで直流の入力電圧を前記光源に必要とされる直流電圧に変換するスイッチング電源回路と、前記スイッチング素子をオンオフ駆動する駆動回路と、前記駆動回路を通じて前記スイッチング電源回路の動作を制御する制御回路と、前記駆動回路が前記スイッチング素子をオンオフ駆動するために必要な駆動電圧を生成するブートストラップ回路と、前記ブートストラップ回路に電源を供給する第１制御電源回路と、前記ブートストラップ回路が正常に動作し得ないときにのみ、前記駆動電圧を生成する第２制御電源回路とを備えることを特徴とする。
【００１６】
本発明の照明器具は、前記点灯装置と、前記点灯装置によって点灯される前記光源とを有することを特徴とする。
【発明の効果】
【００１７】
本発明の点灯装置及び照明器具は、再起動時における動作の安定性の向上を図ることができるという効果がある。
【図面の簡単な説明】
【００１８】
【図１】本発明に係る点灯装置の実施形態１を示す回路図である。
【図２】同上の点灯装置における制御回路の一部省略した回路図である。
【図３】同上の点灯装置の動作説明用の波形図である。
【図４】同上の点灯装置の動作説明用の波形図である。
【図５】同上の点灯装置の動作説明用の波形図である。
【図６】本発明に係る点灯装置の実施形態２を示す一部省略した回路図である。
【図７】本発明に係る点灯装置の実施形態３を示す一部省略した回路図である。
【図８】本発明に係る照明器具の実施形態（実施形態４）を示す正面図である。
【図９】同上の照明器具の後方から見た斜視図である。
【発明を実施するための形態】
【００１９】
以下、本発明に係る点灯装置及び照明器具の実施形態について、図面を参照して詳細に説明する。
【００２０】
（実施形態１）
本実施形態の点灯装置４は、図１に示すように、バックコンバータ４０、制御回路４１、第１制御電源回路４２、第２制御電源回路４３を備える。さらに、本実施形態の点灯装置４は、ＰＦＣ回路４４、フィルタ回路４５、全波整流器４６、スピードアップ回路４７、ＰＦＣ駆動部４８などを備えることが好ましい。
【００２１】
フィルタ回路４５は、商用の交流電源ＡＣから供給される交流電圧・交流電流に重畳する高調波ノイズ、及びＰＦＣ回路４４で発生する高調波ノイズ、を除去するように構成される。全波整流器４６はダイオードブリッジからなり、交流電源ＡＣから供給される交流電圧・交流電流を全波整流する。ＰＦＣ（Power Factor Correction：力率改善）回路４４は、従来周知の昇圧チョッパ回路であって、全波整流器４６で全波整流された脈流電圧を所望の直流電圧に変換することで力率を改善するように構成される。このＰＦＣ回路４４は、インダクタＬ１とダイオードＤ１と平滑コンデンサＣ１が全波整流器４６の脈流出力端間に電気的に直列接続され、且つ２つのスイッチング素子Ｑ１１、Ｑ１２の並列回路がダイオードＤ１と平滑コンデンサＣ１に電気的に並列接続される。なお、２つのスイッチング素子Ｑ１１、Ｑ１２は、電気的な特性が共通である半導体スイッチング素子（例えば、ＮチャネルのパワーＭＯＳＦＥＴ）である。つまり、このＰＦＣ回路４４は、２つのスイッチング素子Ｑ１１、Ｑ１２の並列回路を備えることにより、個々のスイッチング素子Ｑ１１、Ｑ１２に流す電流を減らして温度上昇を抑えるように構成されている。ただし、このＰＦＣ回路４４は、２つのスイッチング素子Ｑ１１、Ｑ１２が並列接続されている点を除けば、特許文献１にも開示されているように、従来周知の回路構成を有しているので、詳細な動作の説明は省略する。以下の説明では、ＰＦＣ回路４４の出力電圧（平滑コンデンサＣ１の両端電圧）を、直流入力電圧Ｖｄｃと呼ぶ。なお、点灯装置４は、蓄電池や太陽電池から供給される直流電圧・直流電流をバックコンバータ４０に入力するように構成されても構わない。
【００２２】
バックコンバータ４０は、降圧チョッパ回路とも呼ばれるスイッチング電源回路であり、ＰＦＣ回路４４から供給される数百ボルトの直流入力電圧Ｖｄｃを、光源（光源ユニット１）に必要とされる数十ボルトの直流電圧（以下、出力電圧Ｖ１と呼ぶ。）に降圧するように構成される。バックコンバータ４０は、２つのスイッチング素子Ｑ２１、Ｑ２２、インダクタＴ１、ダイオードＤ４、平滑コンデンサＣ３などで構成されることが好ましい。２つのスイッチング素子Ｑ２１、Ｑ２２は、ＰＦＣ回路４４の高電位側の出力端と、光源（後述する光源ユニット１）の正極との間に、インダクタＴ１を介して電気的に並列接続される。平滑コンデンサＣ３は電解コンデンサからなり、光源（光源ユニット１）と電気的に並列接続される。ダイオードＤ４は、スイッチング素子Ｑ２１、Ｑ２２の並列回路と、インダクタＴ１との接続点にカソードが電気的に接続され、ＰＦＣ回路４４の低電位側の出力端（グランド）にアノードが電気的に接続される。なお、２つのスイッチング素子Ｑ１１、Ｑ１２は、電気的な特性が共通である半導体スイッチング素子（例えば、ＮチャネルのパワーＭＯＳＦＥＴ）である。また、ダイオードＤ４のアノードと平滑コンデンサＣ３の低電位側の端子との間に、検出抵抗Ｒ８が電気的に接続されることが好ましい。ただし、このバックコンバータ４０は、２つのスイッチング素子Ｑ２１、Ｑ２２が並列接続されている点を除けば、特許文献１にも開示されているように、従来周知の回路構成を有しているので、詳細な動作の説明は省略する。
【００２３】
第１制御電源回路４２は、数百ボルトの直流入力電圧Ｖｄｃを、十数ボルト（例えば、１５ボルト）の直流電圧（以下、第１制御電源電圧Ｖccと呼ぶ。）に変換するように構成される。第１制御電源回路４２は、バックコンバータやフライバックコンバータなどのスイッチング電源回路で構成されることが好ましい。
【００２４】
ここで、本実施形態の点灯装置４は、特許文献１記載の従来例と共通のブートストラップ回路を備えている。ブートストラップ回路は、ブートストラップダイオードＤ２と、ブートストラップコンデンサＣ２と、複数の抵抗Ｒ２〜Ｒ６の直列回路（以下、抵抗直列回路と呼ぶ。）とで構成される。ブートストラップダイオードＤ２は、アノードに第１制御電源電圧Ｖccが印加され、カソードにブートストラップコンデンサＣ２の一端が電気的に接続される。ブートストラップコンデンサＣ２の他端は、抵抗直列回路を介してグランドと電気的に接続される。さらに、抵抗Ｒ３〜Ｒ６は、バックコンバータ４０のダイオードＤ４と電気的に並列接続される。このブートストラップ回路は、特許文献１に記載されているように、バックコンバータ４０のスイッチング素子Ｑ２１、Ｑ２２のオフ期間に、第１制御電源電圧ＶccによってブートストラップコンデンサＣ２を充電するように構成される。そして、ブートストラップコンデンサＣ２が充電されることにより、ブートストラップコンデンサＣ２の高電位側の端子から、スイッチング素子Ｑ２１、Ｑ２２の駆動電圧ＨＶccを得ることができる。
【００２５】
第２制御電源回路４３は、抵抗Ｒ７と、ダイオードＤ３と、ツェナーダイオードＺＤ１とで構成されることが好ましい。抵抗Ｒ７の一端がＰＦＣ回路４４の高電位側の出力端と電気的に接続され、抵抗Ｒ７の他端と、ツェナーダイオードＺＤ１のカソード及びダイオードＤ３のアノードとが電気的に接続される。ツェナーダイオードＺＤ１のアノードが、バックコンバータ４０のダイオードＤ４のカソードと電気的に接続される。そして、ダイオードＤ３のカソードが、ブートストラップコンデンサＣ２の高電位側の端子と電気的に接続される。ただし、第２制御電源回路４３の動作については後述する。
【００２６】
制御回路４１は、ＰＦＣ回路４４を制御する第１制御動作と、バックコンバータ４０を制御する第２制御動作とを実行するように構成される。なお、このような制御回路４１は、例えば、第１制御動作を実行する回路と、第２制御動作を実行する回路とを有する集積回路で構成されることが好ましい。
【００２７】
第１制御動作は、直流入力電圧Ｖｄｃを所望の目標値（例えば、４００ボルト程度の電圧）に維持するように、制御回路４１を動作させることが好ましい。すなわち、制御回路４１は、直流入力電圧Ｖｄｃを抵抗分圧回路Ｒ１、Ｒ２によって計測し、前記計測値に基づき、直流入力電圧Ｖｄｃを目標値に一致させるように、ＰＷＭ信号のオンデューティ比を調整することが好ましい。このＰＷＭ信号は、ＰＦＣ駆動部４８に出力される。ＰＦＣ駆動部４８は、ＰＷＭ信号に応じて、２つのスイッチング素子Ｑ１１、Ｑ１２を同時にオン・オフ駆動することが好ましい。
【００２８】
第２制御動作は、光源（光源ユニット１）に流す電流（負荷電流）Ｉ１を目標値に一致させるように、制御回路４１を動作させることが好ましい。すなわち、制御回路４１は、検出抵抗Ｒ８の両端電圧から負荷電流Ｉ１を計測し、前記計測値に基づき、負荷電流Ｉ１を目標値に一致させるように、ＰＷＭ信号のオンデューティ比を調整することが好ましい。なお、制御回路４１は、外部から与えられる調光信号に応じて、負荷電流Ｉ１の目標値を調整することにより、光源（光源ユニット１）を調光したり、消灯させても構わない。
【００２９】
ここで、第２制御動作を実行する回路構成の一部（駆動回路）を図２に示す。制御回路４１（駆動回路）は、２つのスイッチング素子Ｑ３１、Ｑ３２の直列回路と、フリップフロップ回路ＦＦと、抵抗Ｒ１６と、否定回路（インバータ）ＮＯＴとを有することが好ましい。２つのスイッチング素子Ｑ３１、Ｑ３２は、何れもＮチャネル型のＭＯＳＦＥＴからなり、互いの電気的な特性が共通であることが好ましい。一方のスイッチング素子Ｑ３１は、ドレインに駆動電圧ＨＶccが印加され、ソースが他方のスイッチング素子Ｑ３２のドレインと電気的に接続される。他方のスイッチング素子Ｑ３２は、ソースがハイレベルのグランド端子ＨＧＮＤに電気的に接続される。フリップフロップ回路ＦＦは、出力端子とハイレベルのグランド端子ＨＧＮＤの間に抵抗Ｒ１６が挿入され、出力端子と他方のスイッチング素子Ｑ３２のゲートの間に否定回路ＮＯＴが挿入される。また、一方のスイッチング素子Ｑ３１のゲートがフリップフロップ回路ＦＦの出力端子と電気的に接続される。
【００３０】
フリップフロップ回路ＦＦの出力がハイレベルになると、ハイサイドのスイッチング素子Ｑ３１がターンオンするとともにローサイドのスイッチング素子Ｑ３２がターンオフする。その結果、制御回路４１の出力端子Ｈｏから、駆動電圧ＨＶccにほぼ等しい電圧の駆動信号が出力される。一方、フリップフロップ回路ＦＦの出力がローレベルになると、ハイサイドのスイッチング素子Ｑ３１がターンオフするとともにローサイドのスイッチング素子Ｑ３２がターンオンする。その結果、制御回路４１の出力端子Ｈｏがハイレベルのグランド端子ＨＧＮＤとほぼ同電位となり、制御回路４１は出力端子Ｈｏから駆動信号の出力を停止する。
【００３１】
ここで、制御回路４１の駆動信号は、それぞれスピードアップ回路４７を介して、スイッチング素子Ｑ２１、Ｑ２２のゲートに与えられる。各スピードアップ回路４７は、ＰＮＰ型のバイポーラトランジスタＴｒ１、ダイオードＤ５、抵抗Ｒ１７〜Ｒ１９などで構成されることが好ましい（図１参照）。抵抗Ｒ１７は、各スイッチング素子Ｑ２１、Ｑ２２のゲートとソースの間に電気的に接続される。バイポーラトランジスタＴｒ１のエミッタがスイッチング素子Ｑ２１、Ｑ２２のゲートと電気的に接続され、バイポーラトランジスタＴｒ１のコレクタが抵抗Ｒ１８を介してスイッチング素子Ｑ２１、Ｑ２２のソースと電気的に接続される。また、バイポーラトランジスタＴｒ１のベースがダイオードＤ５のアノード及び抵抗Ｒ１９の一端と電気的に接続され、各スピードアップ回路４７の抵抗Ｒ１９の他端同士が制御回路４１の出力端子Ｈｏと電気的に接続される。
【００３２】
各スピードアップ回路４７は、出力端子Ｈｏからハイレベルの駆動信号が入力されると、バイポーラトランジスタＴｒ１がオフとなり、抵抗Ｒ１７を介して、スイッチング素子Ｑ２１、Ｑ２２のゲート・ソース間に駆動電圧ＨＶccを印加してターンオンさせる。また、各スピードアップ回路４７は、出力端子Ｈｏからの駆動信号が停止すると、バイポーラトランジスタＴｒ１がオンとなり、スイッチング素子Ｑ２１、Ｑ２２のゲートに蓄積されている電荷を放出させてターンオフさせる。つまり、各スピードアップ回路４７は、パワーＭＯＳＦＥＴからなるスイッチング素子Ｑ２１、Ｑ２２のターンオンを高速化するように構成されている。
【００３３】
また、制御回路４１は、第２制御動作において、インダクタＴ１と磁気結合された検出巻線Ｔ２に誘起される電圧（検出電圧）に基づいて、出力端子Ｈｏからハイレベルの駆動信号を出力するタイミングを決定している。例えば、制御回路４１は、前記検出電圧に基づいてインダクタＴ１に流れる電流（インダクタ電流）のゼロクロスを検出し、ゼロクロスに同期して駆動信号を出力するように構成されることが好ましい。
【００３４】
ところで、本実施形態の点灯装置４は、タイマ回路を備えることが好ましい。タイマ回路は、図１に示すように、抵抗Ｒ１３〜Ｒ１５とコンデンサＣ４のＣＲ積分回路で構成されることが好ましい。このタイマ回路は、抵抗Ｒ１３〜Ｒ１５の直列回路が平滑コンデンサＣ３及び検出抵抗Ｒ８と電気的に並列接続され、且つローサイドの抵抗Ｒ１５とコンデンサＣ４が電気的に並列接続されて構成される。コンデンサＣ４の両端電圧が、交流電源ＡＣの投入時点から徐々に上昇するので、制御回路４１は、コンデンサＣ４の両端電圧（以下、タイマ信号と呼ぶ。）に基づいて、前記投入時点からの経過時間を知ることができる。なお、タイマ回路には、抵抗Ｒ９〜Ｒ１２の直列回路が電気的に並列接続されることが好ましい。
【００３５】
次に、図３及び図４の波形図を参照して、本実施形態の点灯装置４の動作を説明する。なお、図３及び図４は、直流入力電圧Ｖｄｃ、出力電圧Ｖ１、駆動電圧ＨＶcc、負荷電流Ｉ１の波形図をそれぞれ示している。
【００３６】
まず、図３に示すように、時刻ｔ＝ｔ１に交流電源ＡＣの電源が投入されると、第１制御電源回路４２が起動し、第１制御電源電圧Ｖccを生成する。第１制御電源電圧Ｖccが定格値（例えば、１５ボルト）に達すると（時刻ｔ＝ｔ２）、制御回路４１が起動して第１制御動作を実行する。なお、制御回路４１は、タイマ信号に基づき、時刻ｔ＝ｔ１からの経過時間を監視することが好ましい。
【００３７】
制御回路４１が第１制御動作を実行すると、ＰＦＣ回路４４が動作して直流入力電圧Ｖｄｃが定格値に達する（時刻ｔ＝ｔ３）。また、第１制御電源電圧Ｖccが定格値に達すれば、ブートストラップ回路が正常に動作し、所定の駆動電圧ＨＶccが制御回路４１に与えられる。
【００３８】
制御回路４１は、タイマ信号に基づき、直流入力電圧Ｖｄｃが定格値に達してから所定時間が経過したと判断すれば（時刻ｔ＝ｔ４）、第２制御動作を開始する。制御回路４１が第２制御動作を開始すると、バックコンバータ４０の出力電圧Ｖ１が徐々に上昇し、光源（光源ユニット１）の点灯開始電圧を超えた時点（時刻ｔ＝ｔ５）から負荷電流Ｉ１が流れ始める。そして、制御回路４１は、負荷電流Ｉ１を一定値とするようにバックコンバータ４０を制御（フィードバック制御）する。故に、本実施形態の点灯装置４は、光源（光源ユニット１）を所望の明るさ（光出力）で点灯させることができる。
【００３９】
ここで、図３に示すように、時刻ｔ＝ｔ６に交流電源ＡＣに瞬時停電が発生したと仮定する。交流電源ＡＣに瞬時停電が発生すると、ＰＦＣ回路４４のスイッチング素子Ｑ１１、Ｑ１２はオフとなり、直流入力電圧Ｖｄｃは、平滑コンデンサＣ１に蓄積された電荷が放電されている間、定格値よりも僅かに低い電圧に維持される（図３参照）。よって、第１制御電源回路４２は動作を継続し、第１制御電源電圧Ｖccを供給し続けることができる。ただし、直流入力電圧Ｖｄｃが定格値を下回ると、バックコンバータ４０の出力電圧Ｖ１が点灯開始電圧以下に低下するため、光源（光源ユニット１）が消灯し、負荷電流Ｉ１が流れなくなる。そして、ＰＦＣ回路４４が再起動すると、直流入力電圧Ｖｄｃが定格値に戻る（時刻ｔ＝ｔ７）。
【００４０】
しかしながら、既に説明したように、瞬時停電が発生した後の再起動時において、バックコンバータ４０の平滑コンデンサＣ３に充電電荷が残っている状態では、ハイレベルのグランド端子ＨＧＮＤの電位が第１制御電源電圧Ｖccよりも高い状態に維持されてしまう。その結果、第１制御電源回路４２からブートストラップコンデンサＣ２に充電電流が流れず、駆動電圧ＨＶccが必要なレベルにまで上昇しないため、バックコンバータ４０のスイッチング素子Ｑ２１、Ｑ２２がターンオンしなくなる（図４参照）。
【００４１】
そこで、本実施形態の点灯装置４では、ブートストラップ回路が正常に動作し得ない（駆動電圧ＨＶccが必要なレベルにまで上昇しない）ときにのみ、第２制御電源回路４３が駆動電圧ＨＶccを生成するように構成されている。すなわち、時刻ｔ＝ｔ６〜ｔ７の期間において、直流入力電圧Ｖｄｃ（≒交流電源ＡＣの電源電圧のピーク値）がバックコンバータ４０の出力電圧Ｖ１を上回るため、第２制御電源回路４３が動作してブートストラップコンデンサＣ２を充電する。その結果、本実施形態の点灯装置４は、図３に示すように、ＰＦＣ回路４４が停止している間（時刻ｔ＝ｔ６〜ｔ７）においても、駆動電圧ＨＶccを、スイッチング素子Ｑ２１、Ｑ２２の駆動に必要なレベルに維持することができる。ただし、第２制御電源回路４３がブートストラップコンデンサＣ２及び抵抗直列回路に充電電流を流すことにより、第２制御電源回路４３が存在しない場合と比較して、直流入力電圧Ｖｄｃの低下速度が速くなる。故に、ＰＦＣ回路４４が再起動して直流入力電圧Ｖｄｃが点灯開始電圧を超える前に、直流入力電圧Ｖｄｃがバックコンバータ４０の出力電圧Ｖ１を下回ってしまうと、バックコンバータ４０を起動できない可能性がある。そのため、ＰＦＣ回路４４の動作開始時点からバックコンバータ４０の動作開始時点までの時間（時刻ｔ＝ｔ７〜ｔ８）内に、第２制御電源回路４３が駆動電圧ＨＶccを必要な電圧まで上昇させなければならない。本実施形態の点灯装置４では、抵抗直列回路の合成抵抗値とブートストラップコンデンサＣ２の静電容量とで決まる時定数を適当に設定することにより、第２制御電源回路４３が駆動電圧ＨＶccを必要な電圧まで上昇させることができるようにしている。
【００４２】
ここで、図５に示すように、ＰＦＣ回路４４の起動時（時刻ｔ＝ｔ３、ｔ７）において、制御回路４１が直流入力電圧Ｖｄｃをオーバーシュートさせ、第２制御電源回路４３によるブートストラップコンデンサＣ２の充電時間の短縮を図ってもよい。ただし、この場合、制御回路４１は、直流入力電圧Ｖｄｃのオーバーシュート値が必要以上に高くならないように制限し、ＰＦＣ回路４４の回路素子を保護することが好ましい。
【００４３】
上述のように本実施形態の点灯装置４は、固体発光素子を有する光源（光源ユニット１）を点灯する点灯装置である。本実施形態の点灯装置４は、スイッチング電源回路（バックコンバータ４０）と、駆動回路（制御回路４１の一部）と、制御回路４１と、ブートストラップ回路と、第１制御電源回路４２と、第２制御電源回路４３とを備える。スイッチング電源回路は、光源よりも高電位側に設けられるスイッチング素子Ｑ２１、Ｑ２２を有し、スイッチング素子Ｑ２１、Ｑ２２がオンオフ駆動されることで直流の入力電圧Ｖｄｃを光源に必要とされる直流電圧Ｖ１に変換するように構成される。駆動回路は、スイッチング素子Ｑ２１、Ｑ２２をオンオフ駆動するように構成される。制御回路４１は、駆動回路を通じてスイッチング電源回路の動作を制御するように構成される。ブートストラップ回路は、駆動回路がスイッチング素子Ｑ２１、Ｑ２２をオンオフ駆動するために必要な駆動電圧ＨＶccを生成するように構成される。第１制御電源回路４２は、ブートストラップ回路に電源（第１制御電源電圧Ｖcc）を供給するように構成される。第２制御電源回路４３は、ブートストラップ回路が正常に動作し得ないときにのみ、駆動電圧ＨＶccを生成するように構成される。
【００４４】
本実施形態の点灯装置４は上述のように構成され、ブートストラップ回路が正常に動作し得ないときでも第２制御電源回路４３によって駆動電圧ＨＶccを生成できるので、再起動時における動作の安定性の向上を図ることができる。しかも、ブートストラップ回路が正常に動作し得るとき、第２制御電源回路４３は駆動電圧ＨＶccを生成しないので、第１制御電源回路４２と第２制御電源回路４３が双方とも動作することによる消費電力の増大や回路効率の低下が回避できる。
【００４５】
また、本実施形態の点灯装置４において、ブートストラップ回路は、ブートストラップダイオードＤ２と、ブートストラップコンデンサＣ２と、限流素子Ｒ２〜Ｒ６とを有することが好ましい。ブートストラップ回路は、第１制御電源回路４２で生成される電源により、ブートストラップダイオードＤ２を介してブートストラップコンデンサＣ２を充電するように構成されることが好ましい。さらに、ブートストラップ回路は、ブートストラップコンデンサＣ２の充電電圧で駆動電圧ＨＶccを生成するように構成されることが好ましい。第２制御電源回路４３は、直流の入力電圧Ｖｄｃを定電圧化する定電圧素子（ツェナーダイオードＺＤ１）と、定電圧素子とブートストラップコンデンサＣ２を電気的に接続する整流素子（ダイオードＤ３）とを有することが好ましい。そして、第２制御電源回路４３は、定電圧素子で定電圧化された電圧でブートストラップコンデンサＣ２を充電するように構成されることが好ましい。
【００４６】
本実施形態の点灯装置４が上述のように構成されれば、比較的に簡単な構成で第２制御電源回路４３を実現し、且つ信頼性の向上を図ることができる。
【００４７】
さらに、本実施形態の点灯装置４において、スイッチング電源回路は、直流の入力電圧Ｖｄｃを降圧するバックコンバータ４０として構成されることが好ましい。第１制御電源回路４２は、制御回路４１の動作用電源（第１制御電源電圧Ｖcc）を生成し、且つ動作用電源をブートストラップ回路に供給するように構成されることが好ましい。
【００４８】
本実施形態の点灯装置４が上述のように構成されれば、回路素子が共用化されることにより、回路構成の簡素化を図ることができる。
【００４９】
また、本実施形態の点灯装置４において、第２制御電源回路４３は、ブートストラップコンデンサＣ２の充電時に、ブートストラップ回路の限流素子Ｒ３〜Ｒ６の両端電圧が光源（光源ユニット１）の点灯開始電圧を超えないように構成されることが好ましい。
【００５０】
本実施形態の点灯装置４が上述のように構成されれば、光源（光源ユニット１）に微少な電流が流れて発光する現象（微発光）を抑制することができる。
【００５１】
さらに、本実施形態の点灯装置４において、外部電源（交流電源ＡＣ）から供給される交流電圧から直流の入力電圧Ｖｄｃを生成する直流電源回路を備えることが好ましい。直流電源回路は、非絶縁型のスイッチング電源（ＰＦＣ回路４４）で構成されることが好ましい。第２制御電源回路４３は、外部電源から交流電圧が供給された状態で直流電源回路が停止している場合において、ブートストラップコンデンサＣ２の充電時に、ブートストラップ回路の限流素子Ｒ３〜Ｒ６の両端電圧が光源の点灯開始電圧を超えないように構成されることが好ましい。
【００５２】
本実施形態の点灯装置４が上述のように構成されれば、光源（光源ユニット１）の微発光を抑制することができる。
【００５３】
（実施形態２）
本発明に係る点灯装置４の実施形態２について、図６を参照して詳細に説明する。ただし、本実施形態の点灯装置４は、実施形態１の点灯装置４と基本的な構成が共通している。したがって、実施形態１の点灯装置４と共通の構成要素には同一の符号を付して、図示並びに説明は適宜省略する。
【００５４】
本実施形態の点灯装置４は、第２制御電源回路４３の構成に特徴がある。第２制御電源回路４３は、図６に示すように、ＮＰＮ型のバイポーラトランジスタＴｒ２、ツェナーダイオードＺＤ１、ダイオードＤ３、コンデンサＣ５、抵抗Ｒ７、Ｒ２０などで構成されることが好ましい。バイポーラトランジスタＴｒ２のコレクタが抵抗Ｒ２０を介してＰＦＣ回路４４の高電位側の出力端と電気的に接続され、バイポーラトランジスタＴｒ２のエミッタがダイオードＤ３のアノードとコンデンサＣ５の一端に電気的に接続される。バイポーラトランジスタＴｒ２のベースが抵抗Ｒ７の一端とツェナーダイオードＺＤ１のカソードに電気的に接続される。抵抗Ｒ７の他端がＰＦＣ回路４４の高電位側の出力端と電気的に接続される。コンデンサＣ５の他端とツェナーダイオードＺＤ１のアノードが、バックコンバータ４０のダイオードＤ４のカソードと電気的に接続される。そして、ダイオードＤ３のカソードがブートストラップダイオードＤ２のカソードと電気的に接続される。
【００５５】
而して、ハイレベルのグランド端子ＨＧＮＤの電位が第１制御電源電圧Ｖccよりも高い状態に維持されている場合、第１制御電源回路４２はブートストラップコンデンサＣ２を充電することができない。一方、第２制御電源回路４３は、上記の場合であっても、バイポーラトランジスタＴｒ２からダイオードＤ３を介してブートストラップコンデンサＣ２を充電することができる。ただし、第１制御電源回路４２がブートストラップコンデンサＣ２を正常に充電し得る場合、第２制御電源回路４３のコンデンサＣ５の両端電圧が、ブートストラップコンデンサＣ２の両端電圧よりも低くなるように第２制御電源回路４３が構成されている。そのため、第１制御電源回路４２がブートストラップコンデンサＣ２を正常に充電し得る場合、第２制御電源回路４３は動作しない。
【００５６】
つまり、本実施形態の点灯装置４においても、ブートストラップ回路が正常に動作し得ないときにのみ、第２制御電源回路４３が駆動電圧ＨＶccを生成するように構成されている。なお、本実施形態の第２制御電源回路４３において、バイポーラトランジスタＴｒ２とダイオードＤ３との間に、３端子レギュレータが挿入されれば、温度特性の影響を受け難く、動作の安定性の向上を図ることができる。
【００５７】
ここで、本実施形態の点灯装置４におけるスピードアップ回路４７は、図６に示すように、従来周知のトーテムポール駆動回路で構成されている。このスピードアップ回路４７では、スイッチング素子Ｑ２１、Ｑ２２のターンオフ時間だけで無く、ターンオン時間の短縮化（高速化）を図ることができる。そして、このようなスピードアップ回路４７が用いられている場合、本実施形態の第２制御電源回路４３により、駆動電圧ＨＶccの安定化を図ることができる。
【００５８】
（実施形態３）
本発明に係る点灯装置４の実施形態３について、図７を参照して詳細に説明する。ただし、本実施形態の点灯装置４は、実施形態２の点灯装置４と基本的な構成が共通している。したがって、実施形態２の点灯装置４と共通の構成要素（実施形態１と共通の構成を含む。）には同一の符号を付して、図示並びに説明は適宜省略する。
【００５９】
本実施形態の点灯装置４は、第２制御電源回路４３の動作を制御する第２制御回路を備える。ただし、本実施形態の点灯装置４では、制御回路４１が第２制御回路に兼用されることが好ましい。
【００６０】
制御回路４１は、図７に示すように、抵抗Ｒ１２の両端電圧を計測することでバックコンバータ４０の平滑コンデンサＣ３の両端電圧を間接的に計測するように構成されることが好ましい。また、制御回路４１は、フォトカプラＰＣの発光ダイオードＬＤを駆動するように構成されることが好ましい。
【００６１】
一方、フォトカプラＰＣのフォトトランジスタＰＴｒは、第２制御電源回路４３のツェナーダイオードＺＤ１と電気的に並列接続されることが好ましい。
【００６２】
而して、制御回路４１は、交流電源ＡＣの電源供給が開始された場合において、バックコンバータ４０を動作させる前に、平滑コンデンサＣ３の両端電圧の計測値を所定のしきい値と比較する。そして、前記計測値が前記しきい値未満のとき、制御回路４１は、発光ダイオードＬＤを駆動してフォトトランジスタＰＴｒをオンする。フォトトランジスタＰＴｒがオンすれば、ツェナーダイオードＺＤ１の両端がフォトトランジスタＰＴｒで短絡されるため、第２制御電源回路４３が停止する。このとき、平滑コンデンサＣ３の両端電圧が充分低い電圧に低下しているので、第１制御電源回路４２がブートストラップコンデンサＣ２を充電することができる。
【００６３】
一方、前記計測値が前記しきい値以上のとき、制御回路４１は、発光ダイオードＬＤを駆動せず、フォトトランジスタＰＴｒをオンしない。フォトトランジスタＰＴｒがオンしなければ、第２制御電源回路４３が動作してブートストラップコンデンサＣ２を充電する。
【００６４】
すなわち、本実施形態の点灯装置４において、制御回路４１は、通常は第１制御電源回路４２にブートストラップコンデンサＣ２を充電させ、必要なときにだけ第２制御電源回路４３にブートストラップコンデンサＣ２を充電させるように構成されている。つまり、第１制御電源回路４２は、第２制御電源回路４３と比較して、動作の安定性や回路効率などの性能面で優れている。したがって、再起動時などの特別な場合を除いて、第１制御電源回路４２がブートストラップコンデンサＣ２を充電することにより、駆動電圧ＨＶccの安定化を図ることができる。
【００６５】
上述のように本実施形態の点灯装置４において、第２制御電源回路４３の動作を制御する第２制御回路（制御回路４１）を備えることが好ましい。第２制御回路は、外部電源（交流電源ＡＣ）の電源供給が開始された場合において、スイッチング電源回路（バックコンバータ４０）の出力端間の電圧（平滑コンデンサＣ３の両端電圧）を計測するように構成されることが好ましい。さらに、第２制御回路は、前記出力端間の電圧が所定のしきい値未満のときは第２制御電源回路４３に駆動電圧ＨＶccを生成させないように構成されることが好ましい。且つ、第２制御回路は、前記出力端間の電圧が前記しきい値以上のときに第２制御電源回路４３に駆動電圧ＨＶccを生成させるように構成されることが好ましい。
【００６６】
本実施形態の点灯装置４が上述のように構成されれば、駆動電圧ＨＶccの安定化を図ることができる。
【００６７】
（実施形態４）
次に、本発明に係る照明器具の実施形態について、図８及び図９を参照して説明する。なお、本実施形態では、照明器具として投光器を例示するが、本発明の技術思想が適用可能な照明器具は投光器に限定されず、例えば、高天井用の照明器具や道路灯などでも構わない。
【００６８】
本実施形態の照明器具は、図８及び図９に示すように、複数（図示例では４つ）の光源ユニット１と、複数の光源ユニット１を点灯する点灯装置４とを備える。さらに、本実施形態の照明器具は、複数の光源ユニット１を連結する連結部材と、アーム１６とを備えることが好ましい。ただし、照明器具を構成する光源ユニット１の数は４つに限定されず、１〜３つ、あるいは５つ以上でも構わない。なお、以下の説明において、特に断りの無い限り、図８において上下、左右、前後の各方向を規定し、紙面の手前側を前とする。
【００６９】
光源ユニット１は、ＬＥＤモジュールと、放熱部材３とを有する。ＬＥＤモジュールは、複数個の発光ダイオード（ＬＥＤ）と、実装基板とを有することが好ましい。ＬＥＤは、例えば、従来周知であるパッケージ型の白色ＬＥＤである。ただし、ＬＥＤの代わりに、有機エレクトロルミネセンス（ＥＬ）素子が用いられても構わない。実装基板は、矩形平板状のアルミ基板で構成されることが好ましい。ＬＥＤは、実装基板の前面に、縦横に並べて実装される。また、実装基板の前面にレセプタクルコネクタが実装される。レセプタクルコネクタは、実装基板の前面に形成される配線用の導体を介して、各ＬＥＤの電極（カソード及びアノード）と電気的に接続される。
【００７０】
放熱部材３は、ベース部３０、一対の縁部３１、複数の放熱板３２で構成されることが好ましい。なお、ベース部３０、縁部３１並びに放熱板３２は、例えば、アルミニウム合金などの熱伝導性に優れた材料で形成されることが好ましい。ベース部３０は、矩形平板状に形成される。ベース部３０の前面にＬＥＤモジュールが固定される。また、ベース部３０の前面には、ＬＥＤモジュールを覆い隠すようにカバー７が取り付けられる（図８参照）。カバー７は、ポリカーボネート樹脂などの透光性を有する合成樹脂材料により、扁平な矩形の箱状に形成される。一対の縁部３１は、上下方向を長手方向とする直方体状であって、ベース部３０の左端縁と右端縁においてベース部３０と一体に形成される。なお、縁部３１の厚み（前後方向の幅）は、ベース部３０の厚みよりも十分に大きく形成されている。
【００７１】
連結部材は、第１連結部材１０、第２連結部材１１、第３連結部材１２並びに補助連結部材を含むことが好ましい。
【００７２】
第１連結部材１０は、帯状の主片１００と、主片１００の長手方向に沿って主片１００の厚み方向に突出する補助片１０１とを有する。なお、主片１００と補助片１０１とは、ステンレス鋼板などの金属板が長手方向に沿って折り曲げられることで一体に形成される。
【００７３】
また、第１連結部材１０は、主片１００の長手方向における両端及び中央に、それぞれ突片１０２、１０３が設けられている。ただし、中央の突片１０３は、両端の突片１０２のほぼ２倍の長さ寸法を有している。また、中央の突片１０３の先端が、外向きに折り曲げられている。各突片１０２、１０３には、それぞれ１つ又は２つのねじ挿通孔が設けられる。
【００７４】
第１連結部材１０は、図９に示すように、各突片１０２、１０３が、放熱部材３の縁部３１にねじ止めされることで２つの光源ユニット１に取り付けられる。すなわち、各突片１０２、１０３のねじ挿通孔に挿通されるねじ１０４が縁部３１のねじ孔にねじ込まれる。
【００７５】
第２連結部材１１は、帯状の金属板（例えば、ステンレス鋼板など）で構成される。ただし、第２連結部材１１の中央部１１０は、両側の端部１１１に対して厚み方向に突出している。中央部１１０には、３つのねじ挿通孔が設けられる。一方、各端部１１１には、２つのねじ挿通孔がそれぞれ設けられる（図９参照）。
【００７６】
第２連結部材１１は、放熱部材３の縁部３１にねじ止めされることで２つの光源ユニット１に取り付けられる。すなわち、中央部１１０及び各端部１１１のねじ挿通孔に挿通されるねじ１１２が縁部３１のねじ孔にねじ込まれる（図９参照）。
【００７７】
第３連結部材１２は、帯状の金属板（例えば、ステンレス鋼板など）で構成される。ただし、第３連結部材１２は、長手方向に沿った両端部が厚み方向に折り曲げられることで補強されている。また、第３連結部材１２は、長手方向の両端にそれぞれ２つのねじ挿通孔が設けられている。これらのねじ挿通孔は、第３連結部材１２の短手方向に並ぶように設けられる。第３連結部材１２は、放熱部材３の縁部３１にねじ止めされることで４つの光源ユニット１に取り付けられる（図８参照）。
【００７８】
補助連結部材は、一対のアーム取付部材１３と、一対の補強部材１４とで構成される。アーム取付部材１３は、角樋状の固定部１３０と、一対の取付部１３１と、軸受け部１３２とを有する。なお、固定部１３０と取付部１３１と軸受け部１３２とは、例えば、アルミダイカストによって一体に形成されることが好ましい。
【００７９】
一対の取付部１３１は、長尺の円錐台形状に形成され、固定部１３０から後方に突出する。なお、各取付部１３１の先端部には、雌ねじが形成されている。
【００８０】
軸受け部１３２は、円筒形状に形成され、一対の取付部１３１の間に配置されて各取付部１３１並びに固定部１３０と繋がっている。軸受け部１３２の中心には、ねじ孔が設けられる。
【００８１】
補強部材１４は、図９に示すように、帯状の金属板（例えば、ステンレス鋼板など）で構成される。ただし、補強部材１４は、長手方向に沿った両端部が厚み方向に折り曲げられることで補強されている。一対の補強部材１４は、上下方向に並ぶように、左右両側のアーム取付部材１３の取付部１３１に取り付けられる。すなわち、補強部材１４の両端に設けられるねじ挿通孔にボルト１４０が挿通され、そのボルト１４０が取付部１３１の先端部の雌ねじにねじ込まれてねじ止めされる（図９参照）。
【００８２】
アーム１６は、図９に示すように、固定板１６０と、固定板１６０の左右両端から斜め上向きに立ち上がる一対の立ち上げ片１６１と、各立ち上げ片１６１の先端から斜め上向きに立ち上がる支持片１６２とが金属板によって一体に形成されている。
【００８３】
固定板１６０は、略中心に円形の固定孔１６０１が貫通し、固定孔１６０１よりも後方に、固定孔１６０１を中心とする半円弧状の長孔１６００が貫通している（図９参照）。そして、固定孔１６０１に挿通されるボルトと、長孔１６００に挿通されるボルトとで固定板１６０が照明台（コンクリート製の土台）などに固定される。また、長孔１６００に挿通されるボルトを緩めることにより、アーム１６の向き（光源ユニット１の向き）を略１８０度の範囲で変更することができる。
【００８４】
各支持片１６２は、先端部に円形の挿通孔が貫通している。故に、挿通孔に挿通したボルト１６３が、アーム取付部材１３の軸受け部１３２のねじ孔にねじ込まれることにより、連結部材で連結された４つの光源ユニット１をアーム１６で回転可能に支持することができる。
【００８５】
ところで、下側の補強部材１４には、配線ボックス１５がねじ止めによって取り付けられる（図９参照）。
【００８６】
配線ボックス１５は、金属材料によって矩形箱状に形成される。配線ボックス１５内には、中継用の端子台が収納される。この端子台は、電力系統から交流電力を供給するための電源ケーブルと、点灯装置４に前記交流電力を供給するための電源ケーブル９とを電気的に接続するように構成される。
【００８７】
点灯装置４は、金属製のケース８１を備えることが好ましい。ケース８１は、ケース本体８２と、２つの蓋部８３、８４とを有することが好ましい（図９参照）。ケース本体８２は、例えば、アルミ又はアルミ合金が押出成形されることにより、軸方向の両端が開口した角筒状に形成されることが好ましい。また、ケース本体８２の前方の側壁の下端部には、４つのケーブル挿通孔が貫通している。これら４つのケーブル挿通孔には、それぞれ出力ケーブルが挿通され、止め金具によって出力ケーブルが側壁に固定される。
【００８８】
蓋部８３、８４は、例えば、アルミダイカストによって平板状に形成されることが好ましい。これら２つの蓋部８３、８４は、ケース本体８２の軸方向の端部にそれぞれねじ止めされることにより、ケース本体８２の両端の開口を閉塞するように構成されることが好ましい（図９参照）。ただし、各蓋部８３、８４とケース本体８２の端部との間に防水パッキンが挟み込まれ、ケース本体８２内への雨水の浸入が防止されることが好ましい。また、片方（前方）の蓋部８４は、中央にケーブル挿通孔が貫通している。そして、このケーブル挿通孔に電源ケーブル９が挿通され、止め金具によって電源ケーブル９が蓋部８４に固定される。
【００８９】
点灯装置４は、図９に示すように、ケース本体８２の側壁が、一対の補強部材１４にねじ止めされることが好ましい。このとき、点灯装置４は、電源ケーブル９が固定されている方の蓋部８４を下、もう一方の蓋部８３を上とする姿勢で補強部材１４に固定されることが好ましい。
【００９０】
ところで、本実施形態の照明器具が照明台に設置される場合、金属製のワイヤ１７の両端がそれぞれ第２連結部材１１の中央部１１０にねじ止めされることが好ましい（図９参照）。さらに、ワイヤ１７は、照明台に固定されるワイヤ受け１８に支持されることが好ましい（図９参照）。つまり、アーム１６が照明台から外れた場合、ワイヤ１７が支持することで照明器具の落下が防止される。
【００９１】
上述のように本実施形態の照明器具は、実施形態１〜３の何れかの点灯装置４と、点灯装置４によって点灯される前記光源（光源ユニット１）とを有する。
【００９２】
また、本実施形態の照明器具において、光源（光源ユニット１）は、固体発光素子として発光ダイオード又は有機エレクトロルミネセンス素子を有することが好ましい。
【００９３】
本実施形態の照明器具は上述のように構成されるので、再起動時における動作の安定性の向上を図ることができる。
【符号の説明】
【００９４】
１  光源ユニット（光源）
４  点灯装置
４０  バックコンバータ（スイッチング電源回路）
４１  制御回路（制御回路、駆動回路及び第２制御回路）
４２  第１制御電源回路
４３  第２制御電源回路
４４  ＰＦＣ回路
Ｑ２１、Ｑ２２  スイッチング素子
Ｄ２  ブートストラップダイオード
Ｃ２  ブートストラップコンデンサ
Ｒ２〜Ｒ６  抵抗（限流素子）
ＺＤ１  ツェナーダイオード（定電圧素子）
Ｄ３  ダイオード（整流素子）
【図１】
0006467751.tif 000002
【図２】
0006467751.tif 000003
【図３】
0006467751.tif 000004
【図４】
0006467751.tif 000005
【図５】
0006467751.tif 000006
【図６】
0006467751.tif 000007
【図７】
0006467751.tif 000008
【図８】
0006467751.tif 000009
【図９】
0006467751.tif 000010